(57)【要約】【課題】  身体の動きを制限することなく、弱い緊締力で矯正したい部分に意識を集中させることにより着用するだけで姿勢を徐々に矯正できるアンダーシャツを提供するものである。【解決手段】  本発明のアンダーシャツ１００は、伸縮性の本体生地２００よりなり、少なくとも肩線１５、袖ぐり１３、脇部１７を有する前身頃１０と、肩線２５および脇部２７で前身頃と連結している後身頃２０よりなり、袖ぐり１３回り、および後身頃上部に貼り合せ生地２００Ａを重合した緊締部５０，６０を形成する構成を具備している。【選択図】      図２
2005248391.tif 000002
【特許請求の範囲】
【請求項１】
少なくとも肩線、袖ぐり、脇部を有する前身頃と、肩線および脇部で前身頃と連結している後身頃よりなり伸縮性生地で形成されているアンダーシャツにおいて、
袖ぐり回りおよび後身頃上部に貼り合せ生地を裏打ちして緊締部を形成することを特徴とするアンダーシャツ。
【発明の詳細な説明】
【技術分野】
【０００１】
本発明はアンダーシャツに関し、特に軽度の運動時に着用するスポーツ用アンダーシャツに関する。
【背景技術】
【０００２】
姿勢の矯正用の下着としては、下記の特許文献１，２，３、４に示すように、特に背骨に沿った背部分から肩にかけて強力な伸縮性のあるベルト等で強力に引き締めて動きを制限することにより背が丸まっている姿勢を矯正している。
【特許文献１】特開２００３―３８５３６号公報
【特許文献２】特開２００２―２２４１５０号公報
【特許文献３】特開２００３―１４４４６８号公報
【特許文献４】特許第３１１５８１６号公報
【発明の開示】
【発明が解決しようとする課題】
【０００３】
しかし、上記の特許文献に開示されているものは、所望する機能を引き出すために強力な伸縮部材を用いたり、布を細かい範囲で縫い合わせて作成していた。また、下着と一体型ではないので、装着が煩雑であり、運動時の動きは制限されてしまった。
あるいは、テーピング理論を応用した背部の障害の予防や治療のためのものは、ほとんど伸縮性のない強緊締部を設けているため、身体の動きを強度に制限してしまった。
そこで、本発明は、身体の動きを制限することなく、弱い緊締力で矯正したい部分に意識を集中させることにより着用するだけで姿勢を徐々に矯正できるアンダーシャツを提供するものである。
【課題を解決するための手段】
【０００４】
本発明のアンダーシャツは、伸縮性を有する生地よりなり、少なくとも肩線、袖ぐり、脇部を有する前身頃と、肩線および脇部で前身頃と連結している後身頃よりなり、袖ぐり回りおよび後身頃上部に貼り合せ生地を裏打ちして緊締部を形成する構成を具備している。
【発明の効果】
【０００５】
本発明のアンダーシャツは、適度の締め付けによる緊締部の緊締力が身体の動きを制限することなく、矯正したい部分に意識を集中させることにより姿勢を徐々に矯正できる。  
【発明を実施するための最良の形態】
【０００６】
以下、本発明を実施するための最良の形態を、図面を参照して詳細に説明する。
図１は本発明のアンダーシャツの正面図と背面図、図２はアンダーシャツを裏返した状態での正面図とその背面図、図３は緊締部の構成説明図である。
アンダーシャツ１００は前身頃１０と後身頃２０と両袖３０を備えている。
前身頃１０は襟ぐり１１と袖３０を連結する袖ぐり１３、後身頃に連結する肩線１５・脇線１７、および裾線１９を有している。
後身頃２０は前身頃の襟ぐり１１に連絡する後身頃の襟ぐり２１、袖３０を連結する袖ぐり２３、前身頃に連結する肩線２５・脇線２７、と裾線２９を有している。
前身頃１０と後身頃２０の裏面には強い伸縮性を有する貼り合せ生地を裏打ちした緊締部５０，６０を形成している。
【０００７】
前身頃１０および後身頃２０と袖３０は伸縮性を有する編生地（本体生地２００）で構成されている。例えば、アクリルとキュプラで構成される紡績糸（商品名：サーモギア（商標）、品番：ＦＢ６４Ｎ、番手：１／６４）と、ポリウレタン糸（商品名：ライクラ（商標）、品番：Ｓ１８７０−７８Ｋ  ｔｅｘ：２０ｄｔｅｘ）とを用いてフライス編みで編成されている。当該本体生地の構成は、アクリル７６％、キュプラ１９％、ポリウレタン５％となっている。
この本体生地２００は伸縮性に富み、かつ保湿機能を有する。すなわち、サーモギアはキュプラの吸湿性、発熱特性を生かすようにアクリルと組み合わせることにより、糸に沢山の空気を含ませることができ、温熱保持性が向上する。さらに、キュプラは吸湿性により余分な湿度を外に逃し、衣類と肌との間の湿度を調整して温かくかつ爽やかな着心地が得られる。
【０００８】
緊締部の構成を図３を参照して説明する。
緊締部５０、６０は本体生地２００に伸縮性を有する貼り合せ生地２００Ａを重合して構成している。
貼り合わせ生地２００Ａは、ナイロン糸をエア交絡により紡糸したソフトスパンライク糸（商品名：ナチュレーヌ（商標）、品番：０５０３６１ＲＨＴ、ｔｅｘ：５０ｄｔｅｘ）と、ポリウレタン糸（商品名：ライクラ（商標）、品番：Ｔ−１５３Ｃ、ｔｅｘ：４４ｄｔｅｘ）とを用いて天竺編みで編成されている。当該貼り合わせ生地の構成は、ナイロン７４％、ポリウレタン２６％となっている。
この伸縮強化生地は、薄地で柔軟性があり、表面が滑らかで肌触りが良好である。
【０００９】
緊締部５０、６０は、本体生地と貼り合わせ生地とを接着させて構成される。例えば、ポリアミド系樹脂よりなる接着芯地２５０（例えば、日本バイリーン社製、ＥＦ１５芯地）を本体生地２００と貼り合わせ生地２００Ａとの間に挟持し、１３０〜１４０℃、圧力２５０〜４００ｇ／ｍ２の条件下に、１０〜１５秒間保持し、十分に熱融着させる。その後、貼り合わせ生地２００Ａの端縁を平２本針縫いにより、縫製加工仕上げを行い、本体生地２００と貼り合わせ生地２００Ａとを一体化仕上げする。この平２本針縫いによる縫製加工は、振り糸にストレッチ糸を使用することにより、縫製箇所の伸縮強化部の伸縮に追従し、縫製ライン７０がスッキリと仕上がる。
【００１０】
ここで、本体生地・貼り合せ生地・緊締部における定伸長弾性率（％）、５０％伸長応力（Ｎ）を試験し、結果を下記の表に示す。
試験方法  ＪＩＳ  Ｌ−１０１８Ａ法  カットストリップ法（定伸長時伸長力）
テンシロン万能試験機ＭＯＤＥＬ２５０（ＯＲＩＥＮＴＥＣ  ＣＯＲＰＯＲＡＴＩＯＮ製）
試料  巾５０ｃｍ×長さ３０ｃｍ（つかみ間の距離２０ｃｍ）
引張速度  １０ｃｍ／ｍｉｎ：初加重２９ｍＮ（３ｇｆ）
定伸長弾性率とは、繰り返しの引張りに対しての耐性（残留伸び％）、伸長応力とは元の長さに対し、一定の伸長（例えば今回の試験は５０％伸長）時の応力である。
【００１１】
【表１】
2005248391.tif 000003
この試験結果が示すように、緊締部の定伸長弾性率、すなわち複数回の伸長に対する残留伸び率は、本体生地および伸縮性を有する貼り合せ生地１枚ごとの定伸長弾性率に比較し低く、度重なる伸長に対して復元性があることがわかる。また、緊締部の伸長応力は本体生地および貼り合せ生地１枚ごとの伸長応力に比較して格段に高く、本体生地に貼り合せ生地を重合することにより、強い弾性を有することがわかる。
【００１２】
本体生地部及び緊締部は、複数回の使用においても、本願発明の効果が発現し得るために、定伸長弾性率（ＪＩＳ  Ｌ−１０１８Ａ法による。以下同じ。）は８５％以上、好ましくは９０％以上。
また、本体生地の５０％伸長応力（ＪＩＳ  Ｌ−１０１８Ａ法による。以下同じ。）は好ましくは２〜４Ｎ、更に好ましくは２．５〜３．５Ｎであり、貼り合わせ生地の５０％伸長応力は好ましくは６〜９Ｎ、更に好ましくは７〜８Ｎである。当該範囲内であれば、身体の動きに対する追従性が高く、身体の動きが不必要に制限されることがない。
そして、本体生地の５０％伸長応力を１とした時に、緊締部の５０％伸長応力は、２〜３、より好ましくは２．３〜２．７の範囲にあることが好ましい。当該範囲内であれば、適度な締め付けが働き、当該被覆部分の筋肉の動きに対する意識付けが行いやすい。
【００１３】
緊締部５０は前身頃２０の両肩１５から脇線１７のほぼバストライン位置下まで、袖ぐり１３からほぼ寸法Ｗの範囲に貼り合わせ生地２００Ａを重合して形成する。
緊締部６０は、後身頃２０の上部に形成される。緊締部６０は前身頃１０の緊締部５０の肩１５の寸法Ｗに連続して肩２５から袖ぐり２３を通ってバストライン下までの範囲全体に貼り合わせ生地２００Ａが重合されて形成されている。
緊締部６０は、少なくとも菱形筋、広背筋上部の一部を被覆する範囲に貼り合わせ生地が重合されていることが好ましく、更に好ましくは菱形筋及び広背筋上部の一部を被覆する範囲に貼り合わせ生地が重合されて形成される。
また、腕の動きを制限しないよう、肩甲骨に対応する部分と両袖ぐり２３までの範囲をくりぬいて貼り合わせ生地２００Ａを重合しない肩甲骨くりぬき部６５を形成することが好ましい。
【００１４】
寸法Ｗは、貼り合わせ部の伸縮力により適宜変更することができるが、肩を後方に引っ張る働きが効果的に生ずるように寸法Ｗは３〜６ｃｍの範囲とするのが好ましい。
【００１５】
このように構成されるアンダーウェア１００は、着用したとき後身頃２０の上部および肩を通って前身頃１０の胸部脇を通り袖ぐり回りに伸縮性を有する貼り合わせ生地を裏打ちして伸縮弾性力を強化しているので、緊締部の弾性により腕の付け根から肩が後方に引っ張られる状態となり、背を丸める猫背の姿勢から背筋を伸ばすように矯正ができる。また、肩甲骨くりぬき部６５には貼り合わせ生地が重合していないアンダーウェアにおいては、腕の動きを制限することがない。
【００１６】
また、アンダーウエア１００は、身体の動きに良好に追従でき、良好な保湿性・保温性を有する。そして、アンダーウエア１００の裏側、すなわち肌との接触面に配設される貼り合わせ生地２００Ａが肌に接触するに際し、貼り合わせ生地２００Ａが有する肌触り、および滑りの良さ、良好な吸湿性、発汗性により運動時の着心地を快いものとする。
また、緊締部５０、６０により、適度な締め付けが生じ、着用者の血行を促進し、疲労感が軽減できる。更に身体の動きを必要以上に制限することなく、適度に締め付けることにより、緊締部に常に一定の緊張が生じ、当該部分に被覆される箇所の動きを意識しやすくして、スポーツ時の動きの改善を促すことが可能である。
さらに下着として直接肌に接するので、清潔度が要求されるが、丸洗い可能であって、手入れ・清潔管理が簡単である。
【００１７】
従って、軽度の運動時に着用するスポーツ用アンダーシャツとして好適に用いることができる。特に、ゴルフ用アンダーシャツとして好適に用いることができる。例えば、ゴルフでは体の内部の動きが大切であり、また根気よく理想のスイングイメージを作って練習することが大事である。アドレスからテイクバック、スクエアと一連の動きに対し、体の捻り、特に背筋の捻りが重要であるが、本発明においては、背筋に常に緊張を持たせることにより、理想のゴルフフォームへの意識づけが容易になし得るものである。
【００１８】
以上説明したように、本発明の保温性を有するアンダーシャツ１００は後身頃から肩、腕の付け根を通る部分に緊締部を設けることにより肩を後方に引っ張って着用し続けることにより、姿勢の矯正を強く意識付けることができる。また、体の内部の動きが重要な運動に際しては、例えばゴルフのスイングフォーム時、緊締部の適度な締め付けにより、肩・後背に意識が集中するため、動きの改善を効果的に意識付けることが可能であり、練習に適している。さらに、薄手の伸縮性を有する柔軟性の生地を接着しているので、体の動きを制限する程ではなく、寒い時期における野外での軽い運動に、保温機能、血行促進機能を発揮できる。また、伸縮生地を所望する箇所に接着するのみで姿勢の矯正効果、保温効果を有するアンダーシャツを簡単に製作できる。
【図面の簡単な説明】
【００１９】
【図１】本発明に係るアンダーシャツの表面平面図
【図２】本発明に係るアンダーシャツの裏面平面図
【図３】本体生地、張り合わせ生地、緊締部の構成説明図
【符号の説明】
【００２０】
１０  前身頃
１１、２１  襟ぐり
１３、２３  袖ぐり
１５、２５  肩線
１７、２７  脇線
１９、２９  裾線
２０  後身頃
３０  袖
５０、６０  緊締部
２００  本体生地
２００Ａ  貼り合せ生地
２５０  接着剤
【図１】
2005248391.tif 000004
【図２】
2005248391.tif 000005
【図３】
2005248391.tif 000006